(57)【要約】      （修正有）【課題】各種の糸、紐を用いて装身具、小物類、装飾品などの手工芸品を制作する際に、継続して使用しても疲労が少ない手編み補助具を提供する。【解決手段】手編み補助具１は、四角形の板の真ん中に空間を設けた枠状で、枠の外周にコード５を差し込むための複数の溝２１〜２ｎ、３１〜３ｎを設けている。溝に差し込んだコードを巻きつけるための突起４を枠の内側に設けている。コードを溝に差し込み突起に巻きつけ再び溝に差し込むことにより摩擦が多く生じ、コードが緩みにくくなり、快適に編み進めることができる。手編み補助具は椅子に座った状態の両腿の上に乗せて使用できる大きさであり、イーゼルや机上に置いた書見台などにも固定して使用できるため、作業時の姿勢が手編み補助具により制限されにくく疲労しにくい。【選択図】図２
0003232342.tif 000002
【実用新案登録請求の範囲】
【請求項１】
四角形をはじめとする多角形の板の真ん中に空洞を設けて枠状にしたものの外周に、コードを差し込むための複数の溝を設け、その溝と同じ辺上に１つないしは複数の差し込んだコードを巻きつけるための突起を枠の内側ないしは裏面の中央の空間に近い位置に設けた手編み補助具。
【考案の詳細な説明】
【技術分野】
【０００１】  本考案は、各種の糸、紐（以下「コード」と呼ぶ）を用いて、装身具、小物類、装飾品などの手工芸品を制作するために用いる手編み補助具に関する。
【背景技術】
【０００２】  従来の手編み補助具は、長方形の板の両端が立ち上がり、その先端に多くの溝を設けた構造である。コードを片方の溝に差し込み固定してそのコードを編んだり、両端の溝にコードを差し込んで張った状態で固定し、そのコードに他のコードを足して編んでいく。テーブルの上に置いて使用するほか、座った状態で腿の上に手編み補助具を置いて使用する。
【先行技術文献】
【特許文献】
【０００３】
【特許文献１】実用新案登録第３２０４０４７号
【考案の概要】
【考案が解決しようとする課題】
【０００４】  従来の手編み補助具は、座った状態で両腿の中心に置いて使用すると、幅が狭いために傾き使用し辛く、片方の腿の上に置いて使用すると脚を組んだり体がねじれるなど、長時間の使用は疲労していた。【０００５】  本考案は上記のような従来の欠点に鑑み、手編み補助具を使用して編む時に安定した状態で使用することができ、長時間の使用でも疲れない姿勢で作業することが出来る手編み補助具を提供することを目的としている。【０００６】  本考案の前記ならびにその他の目的と新規の特徴は、次の説明を添付図面と照らし合わせて読むことにより、完全に明らかになるであろう。ただし、図面はもっぱら解説のためのものであって、本考案の記述的範囲を限定するものではない。
【課題を解決するための手段】
【０００７】  上記の目的を達成するために、本考案は四角形をはじめとする多角形の板の真ん中に空間を設け枠状にしたものの外周に、コードを差し込むための複数の溝を設け、差し込んだコードを巻きつけるための突起を設けたことで手編み補助具を構成している。（図１参照）
【考案の効果】
【０００８】  コードを巻きつけるための突起を設けたことにより（図２参照）、溝に差し込んだコードを巻きつけてまとめ、その後再び溝に差し込むことにより、コードと手編み補助具との摩擦が多くなり、コードを強く引っ張りながら編んでも、固定したコードが緩みにくくなる。また、コードを相対する辺に張った状態で固定した場合でもコードが緩みにくい。【０００９】  四角形をはじめとする多角形の板の真ん中に空間を設け枠状にしたものの外周にコードを差し込むための複数の溝を設けたことで構成されているので、溝の深さや間隔を相対する辺ごとに変えることで、１つの手編み補助具で異なった種類のコードを使用することが出来る。（図３、図４参照）【００１０】  四角形をはじめとする多角形の板の真ん中に空間を設け枠状にしたことで、使用する際、椅子に座って両腿の上に手編み補助具を安定して載せることが出来る。また、そのまま手編み補助具を机に立てかけて使用することができ、手編み補助具が安定した状態で使用することができる。（図５参照）【００１１】  また板状の枠であるため、机の上で書見台などを用いて使用することでができ、目線が上がり背筋が伸びて、より楽な姿勢で作業することが出来る。（図６参照）【００１２】  四角形をはじめとする多角形の枠状のため、イーゼルに固定することが出来るので立った姿勢でも使用できる。机や椅子の用意がない場所でもイーゼルを持参すれば楽な姿勢で作業できる。（図７参照）
【図面の簡単な説明】
【００１３】
【図１】  本考案を実施するための第１の形態の手編み補助具のおもて面の外観斜視図である。
【図２】  本考案を実施するための第１の形態の手編み補助具にコードを掛けた時のおもて面の外観斜視図である。
【図３】  本考案を実施するための第２の形態の手編み補助具に図２とは違う太さのコードを掛けた時のおもて面の外観斜視図である。
【図４】  本考案を実施するための第２の形態の手編み補助具を９０度回転させ、図２と図３とは違う太さのコードを掛けた時のおもて面の外観斜視図である。
【図５】  本考案を実施するための第１の形態および第２の形態の手編み補助具を使用する際の基本の姿勢である。
【図６】  本考案を実施するための第１の形態および第２の形態の手編み補助具を書見台などに乗せて使用する際の姿勢である。
【図７】  本考案を実施するための第１の形態および第２の形態の手編み補助具をイーゼルに固定したときの外観斜視図である。
【考案を実施するための形態】
【００１４】  以下、本考案の実施の形態を図に基づいて詳細に説明する。
【００１５】  全ての図中の１は手編み補助具である。２１から２ｎ、３１から３ｎ、６１から６ｎ、７１から７ｎ、８１から８ｎ、９１から９ｎは列ごとに溝の深さや幅および間隔について同じ条件でつけられた複数の溝である。４は１に取り付けられ、差し込まれたコードを巻きつける突起である（図１、図２、図３、図４参照）。５、１０、１１は太さが異なるコードである。１２は机、１３は椅子、１４は書見台、１５はイーゼルである。
【実施例１】
【００１６】  図１、図２の手編み補助具１はコード５を２１から２ｎ、３１から３ｎの任意の溝に張った状態で差し込み固定する。２１から２ｎ、３１から３ｎの２つの溝列は同じ条件で形成している。２１から２ｎ、３１から３ｎの溝に差し込んだコード５は突起４に巻き付け、再度２１から２ｎ、３１から３ｎの溝に差し込むことで、手編み補助具１とコード５の摩擦の繰り返しにより、コード５が緩みにくくなるので、コード５を張った状態を長く維持することができる。前記の方法で設置したコード５に複数のコードを結びつけて編んでいく。【００１７】  また、２１から２ｎ、３１から３ｎの任意の溝のどちらかに前記方法でコードの片方を複数本差し込み固定して編んでいくことも可能である。【００１８】  次に、図３から図７に示す本考案を実施するための異なる形態につき説明する。なお、これらの本考案を実施するための異なる形態の説明に当たって、前記本考案を実施するための第１の形態と同一構成部分には同一符号を付して重複する説明を省略する。
【実施例２】
【００１９】  図３、図４の６１から６ｎと７１から７ｎの相対する辺の溝は同じ条件で形成している。同じように８１から８ｎと９１から９ｎの相対する辺の溝も前記とは異なる同じ条件で形成している。手編み補助具１は相対する辺に溝の幅に合わせて異なる種類のコードを実施例１のごとく設置して使用する。実施例１と主に異なる点は、１つの手編み補助具に２つの異なる条件の溝列が構成されたことで、１つの手編み補助具で種類の異なるコード１０、コード１１に対応可能となる。【００２０】  図５は実施例１および実施例２の手編み補助具１を使用する際の基本的な姿勢を示した図である。おもに机１２を使用して作業する場合である。椅子１３に座って両腿の上に手編み補助具１のどちらかの溝部分を下にして乗せ、上側を机１２に立てかけて使用する。【００２１】  図６は実施例１および実施例２の手編み補助具を机の上に置いた書見台１４を使って使用する姿勢を示した図である。【００２２】  図７は実施例１および実施例２の手編み補助具１をイーゼル１５に設置して使用する場合の例である。手編み補助具１はコードを設置し終えた状態で固定する。その後作業しやすい高さにイーゼル１５の脚の長さを調節して使用する。
【産業上の利用可能性】
【００２３】  本考案は、各種のコードを用いて装身具、小物類、装飾品などの手工芸品を制作する場合に利用される。
【符号の説明】
【００２４】  １  手編み補助具（実施例１）
２１から２ｎ  溝
３１から３ｎ  溝
４  突起
５  コード（実施例１）
６１から６ｎ  溝
７１から７ｎ  溝
８１から８ｎ  溝
９１から９ｎ  溝
１０  コード（実施例２）
１１  コード（実施例２）
１２  机
１３  椅子
１４  書見台
１５  イーゼル
【図１】
0003232342.tif 000003
【図２】
0003232342.tif 000004
【図３】
0003232342.tif 000005
【図４】
0003232342.tif 000006
【図５】
0003232342.tif 000007
【図６】
0003232342.tif 000008
【図７】
0003232342.tif 000009
【手続補正書】
【提出日】令和3年2月12日(2021.2.12)
【手続補正１】
【補正対象書類名】実用新案登録請求の範囲
【補正対象項目名】請求項１
【補正方法】変更
【補正の内容】
【請求項１】
四角形をはじめとする多角形の板の真ん中に空洞を設けて枠状にしたものの外周に、コードを差し込むための複数の溝を設け、その溝と同じ辺上に１つないしは複数の差し込んだコードを巻きつけるための突起を枠の内側に設けた手編み補助具。